(57)【要約】【課題】樽クランプ前のセンタリングが安定化するとともに、樽上部の構造物を必要とせず、このため、設備設置スペースが小さくなり、作業性が向上する。【解決手段】本発明装置は流体包装用樽１を載置する受け台２と、受け台２の下方に備えられた、受け台２を下降させる昇降シリンダ４および樽を下降させる樽クランプシリンダ１０と、受け台２の下方に備えられた、周辺がシールパッキン７で取り囲まれた、樽１内部に流体を流すための樽接続プローブ１３とを備え、樽１は口金３首部のフランジ５がシールパッキン７上に位置するように受け台２上に位置決めして載置され、さらに、樽クランプシリンダ１０によってフランジ５をクランプして樽１を下降させ、口金３首部のフランジ５をシールパッキン７に密着シールして樽１内に流体を流動させることから構成される。【選択図】図１
2010023904.tif 000002
【特許請求の範囲】
【請求項１】
流体包装用樽を載置する受け台と、受け台の下方に備えられた、受け台を下降させる昇降シリンダおよび樽を下降させる樽クランプシリンダと、受け台の下方に備えられた、周辺がシールパッキンで取り囲まれた、樽内部に流体を流すための樽接続プローブとを備え、前記樽は口金首部のフランジがシールパッキン上に位置するように受け台上に位置決めして載置され、さらに、樽クランプシリンダによってフランジをクランプして樽を下降させ、口金首部のフランジをシールパッキンに密着シールして樽内に流体を流動させることを特徴とする流体包装用樽のクランプ装置。
【請求項２】
請求項１において、前記樽は口金首部のフランジがシールパッキン上に位置するように受け台上に位置決めして載置され、その後、樽クランプシリンダによってフランジをクランプして樽を下降させ、シールパッキンとフランジを密着させる請求項１のクランプ装置。
【請求項３】
請求項１において、前記樽は口金首部を下向きにして受け台上に載置される請求項１のクランプ装置。
【請求項４】
請求項１において、樽接続プローブはバルブを備え、このバルブを通してビールを填充する請求項１のクランプ装置。
【請求項５】
請求項１において、樽接続プローブは上下のバルブを備え、洗浄液を下部バルブを通して流入し、上部バルブから排出する請求項１のクランプ装置。
【発明の詳細な説明】
【技術分野】
【０００１】
本発明は樽の口金首部をクランプ後、樽接続プローブを嵌合し、接続プローブを通して樽内に流体を流動させるクランプ装置に係り、特に、樽のクランプ前に口金首部で位置決め出来て樽のセンタリングが安定し、かつ樽上部に構造物が不用となって、装置が小型化されるのみならず、設備設置スペースが小さくなって作業性が向上し、かつ口金首部と樽接続プローブ間のシール性にも優れた樽クランプ装置に関する。
【背景技術】
【０００２】
例えば、ビール樽等において、ビール樽内にビールを流入したり、あるいはビール樽内の洗浄のためにビール樽内に洗浄水を送り込んだり等、ビール樽内に流体を流動させる際に、通常、樽の口金首部開口に、樽内部に流体を流すための樽接続プローブを結合し、クランプして樽内に流体を流す。
【０００３】
この種のクランプ装置として、従来、図３および図４に示される装置が用いられている。図３は樽受け取り状態の部分断面図であり、図４は樽クランプ状態の部分断面図である。
【０００４】
図３において、Ａは従来公知のクランプ装置であって、樽１を受け台２上に、樽口金３を下向きにして載置する。次いで、昇降シリンダ４を作動させて受け台２を下降し、口金３のフランジ５を口金ガイド６でセンタリングしながら図４に示されるようにシールパッキン７上にセットする。
【０００５】
樽１を受け台２上にセットの後、図４に示されるように、樽押し付けシリンダ８により樽押え材９を押し付けて樽を押え、フランジ５とシールパッキン７を密着させ、シールする。
【０００６】
上述の公知クランプ装置Ａは樽押え付けシリンダ８を上部に設置するため、設備が大きくなり、また、フランジ５を口金ガイド６に摺動しながらセンタリングするため、樽１の位置決めが不安定になる。
【特許文献１】なし
【発明の開示】
【発明が解決しようとする課題】
【０００７】
本発明の解決しようとする課題は樽クランプ前のセンタリングが安定化するとともに、樽上部の構造物を必要とせず、このため設備設置スペースが小さくなり、かつ作業性が向上し、上述の公知技術に存する欠点を改良したクランプ装置を提供することにある。
【課題を解決するための手段】
【０００８】
上述の本願発明の課題を解決するため、本発明の流体包装用樽のクランプ装置によれば、流体包装用樽を載置する受け台と、受け台の下方に備えられた、受け台を下降させる昇降シリンダおよび樽を下降させる樽クランプシリンダと、受け台下方に備えられた、周辺がシールパッキンで取り囲まれた樽接続プローブとを備え、前記樽は口金首部のフランジがシールパッキン上に位置するように受け台上に位置決めして載置され、さらに、樽クランプシリンダによってフランジをクランプして樽を下降させ、口金首部のフランジをシールパッキンに密着シールして樽内に流体を流動させることを特徴とする。
【発明の効果】
【０００９】
本発明にかかる流体包装用樽のクランプ装置は樽上部に構造物がないため、樽のクランプ前に口金首部で位置決め出来て樽のセンタリングが安定し、かつ樽上部に構造物が不用となって、装置が小型化されるのみならず、設備設置スペースが小さくなって作業性が向上し、かつ口金首部と樽接続プローブ間のシール性にも優れる。
【発明を実施するための最良の形態】
【００１０】
以下、本発明を添付図面を用いて具体的に詳述する。
【００１１】
図１は樽受け取り状態を表した部分断面図であり、図２は樽クランプ状態を表した部分断面図である。
【００１２】
図１において、Ｘは本発明のクランプ装置であって、これはビール等の流体包装用樽１を載置する受け台２と、受け台２の下方にそれぞれ備えられた、受け台２を下降させる昇降シリンダ４および樽１を下降させる樽クランプシリンダ１０と、受け台２の下方に備えられた樽接続プローブ１３とを主に備えて構成される。
【００１３】
樽接続プローブ１３は樽１の内部にビール等の流体を流すためのプローブであって、周辺がシールパッキン７で取り囲まれて構成される。そして図２に示されるように樽１は口金３首部のフランジ５がシールパッキン７に位置するように、すなわち、樽１の口金３首部を下向きにして、かつ口金ガイド６に沿って受け台２上に位置決めして載置され、その後、樽クランプシリンダ１０によってフランジ５をクランプして樽１を下降させ、フランジ５とパッキン７を密着させる。このとき、位置決めは装置の上部に構造物がないため容易である。
【００１４】
樽接続プローブ１３は上部バルブ１１および下部バルブ１２を備え、樽１にビールを流し入れるときには図２の状態で上部バルブ１１から充填し、樽１内の空気を下部バルブ１２から排出する。また、樽１に洗浄液を供給する場合には下部バルブ１２から供給し、上部バルブ１１から排出する。
【産業上の利用可能性】
【００１５】
本発明装置Ｘは図１、および図２に示すように、樽クランプシリンダ１０を樽１の下方に配置し、樽クランプシリンダ１０によって樽口金３にクランプしてフランジ５をパッキン７に密着させたから、樽上部に構造物が存在せず、このため樽クランプ前のセンタリング安定化するとともに、設備設置スペースが小さくなり、かつ作業性が向上し、ビール工場等において利用可能性が大きい。
【図面の簡単な説明】
【００１６】
【図１】本発明装置の樽受け取り状態の部分断面図である。
【図２】本発明装置の樽クランプ状態の部分断面図である。
【図３】従来装置の樽受け取り状態の部分断面図である。
【図４】従来装置の樽クランプ状態の部分断面図である。
【符号の説明】
【００１７】
Ｘ  本発明クランプ装置
Ａ  公知のクランプ装置
１  樽
２  受け台
３  樽口金
４  昇降シリンダ
５  フランジ
６  口金ガイド
７  シールパッキン
１０  樽クランプシリンダ
１１  上部バルブ
１２  下部バルブ
１３  樽接続プローブ
【図１】
2010023904.tif 000003
【図２】
2010023904.tif 000004
【図３】
2010023904.tif 000005
【図４】
2010023904.tif 000006